(57)【要約】【課題】  視聴者がテレビ放送を視聴しているときに、端末装置側で簡単に文字入力を行うこと方法を提供する。【解決手段】  文字情報を表示する表示手段と、表示手段の文字入力可能な文字入力領域に文字列を入力する第一の文字入力手段と、第一の文字入力手段により入力された文字列情報をネットワークに送信またはネットワークから受信する第一の送受信手段と、を備えた表示装置と、表示装置の第一の送受信手段が送信した文字列情報をネットワークから受信またはネットワークに送信する第二の送受信手段と、を備えた端末装置とを具備し、第二の送受信手段が受信した文字列情報を表示し、文字列を入力する第二の文字入力手段と、第二の文字入力手段で入力された文字列情報を第二の送受信手段よりネットワークに送信し、表示装置は、文字列情報をネットワークから第一の送受信手段を介して受信し、受信した前記文字列情報を第一の文字入力手段の文字列入力とするシステムを提供する。【選択図】  図１（ａ）
2013174987.tif 000002
【特許請求の範囲】
【請求項１】
ネットワークに接続された表示装置と端末装置を備え、文字入力システムを有するネットワーク端末システムであって、
前記表示装置は、
文字情報を表示する表示手段と、
前記表示手段の文字入力可能な文字入力領域に文字列を入力する第一の文字入力手段と、
前記第一の文字入力手段により入力された文字列情報を前記ネットワークに送信または前記ネットワークから受信する第一の送受信手段と、
を備えており、
前記端末装置は、
前記表示装置の第一の送受信手段が送信した前記文字列情報を前記ネットワークから受信または前記ネットワークに送信する第二の送受信手段と、
該第二の送受信手段が受信した前記文字列情報を表示し、文字列を入力する第二の文字入力手段と、
を備えており、
さらに、前記端末装置は、
前記第二の文字入力手段で入力された前記文字列情報を前記第二の送受信手段より前記ネットワークに送信し、
前記表示装置は、
前記文字列情報を前記ネットワークから前記第一の送受信手段を介して受信し、受信した前記文字列情報を前記第一の文字入力手段の文字列入力とする
ことを特徴とするネットワーク端末システム。
【請求項２】
前記端末装置は、前記第一の文字入力手段の起動に連動して、前記第二の文字入力手段を起動する手段を有することを特徴とする請求項１記載のネットワーク端末システム。
【請求項３】
前記端末装置は、前記第二の文字入力手段による文字入力を確定する入力確定手段を有し、前記入力確定手段により確定された前記文字列情報を前記第二の送受信部より前記ネットワークに送信し、
前記表示装置は、前記文字列情報を前記ネットワークから前記第一の送受信部を介して受信し、受信した前記文字列情報により前記第一の文字入力手段の文字入力を確定する手段を有することを特徴とする請求項１記載のネットワーク端末システム。
【請求項４】
前記第一の文字入力手段は、入力文字の属性情報を付加した文字列情報として第二の文字入力手段に通知し、前記属性情報により前記第二の文字入力手段の入力文字を制限することを特徴とする請求項１記載のネットワーク端末システム。
【請求項５】
前記文字列情報の属性情報は短縮表示形式の情報を有し、前記第二の文字入力手段は、前記第一の文字入力手段から取得した前記文字列情報の属性情報が短縮表示形式を含む場合は、前記文字列情報の文字列に対して、短縮表示される文字列領域を区別して表示する手段を有することを特徴とする請求項４記載のネットワーク端末システム。
【請求項６】
前記文字列情報の属性情報はパスワードの情報を有し、前記第二の文字入力手段は、前記第一の文字入力手段から取得した前記文字列情報の属性情報がパスワードを含む場合は、前記文字列情報の文字列を特定の文字または記号または図形に置き換えて表示することを特徴とする請求項４記載のネットワーク端末システム。
【請求項７】
前記第一の文字入力手段は、前記第二の文字入力手段に送信する前記文字列情報に未対応文字が含まれる場合は、前記未対応文字の文字フォントデータを付加した文字列情報を前記文字列情報とすることを特徴とする請求項１記載のネットワーク端末システム。
【請求項８】
前記端末装置は入力手段を備え、
前記入力手段により前記文字入力可能な文字入力領域を選択するための操作情報を生成する手段を有し、
前記第二の送受信手段は前記操作情報を前記表示装置に送信し、
前記表示装置の前記第一の送受信手段は前記操作情報を受信し、
前記操作情報により前記表示装置の前記文字入力領域を選択する手段を有することを特徴とする請求項１記載のネットワーク端末システム。
【請求項９】
接続機器の文字入力情報を受信または前記接続機器に送信する送受信手段と、
該送受信手段が受信した前記文字列情報を表示し、文字列を入力する文字入力手段を備え、
前記文字入力手段で入力された前記文字列情報を前記送受信手段より前記接続機器に送信することを特徴とする端末装置。
【請求項１０】
前記文字列情報は入力文字の属性情報を含み、前記属性情報により前記文字入力手段の入力文字を制限することを特徴とする請求項９記載の端末装置。
【発明の詳細な説明】
【技術分野】
【０００１】
本発明は、ネットワーク端末システム、及び端末装置に関する。
【背景技術】
【０００２】
本技術分野の背景技術として、特開２０１０−１０２４１２号公報（特許文献１）がある。この公報には、「ソフトウェアキーボードを作成するソフトウェアキーボード作成手段を表示装置に備える。ソフトウェアキーボードのデータは、ウェブサイトのアドレス入力用のソフトウェアキーボードのデータである。また、この表示装置は、ソフトウェアキーボードのデータを送信する送信手段を備える。表示装置は、この送信手段により、ソフトウェアキーボードのデータをリモートコントローラ装置に送信する。リモートコントローラ装置は、ソフトウェアキーボードのデータを受信する受信して、ソフトウェアキーボード描画手段により描画する。」と記載がある。
【先行技術文献】
【特許文献】
【０００３】
【特許文献１】特開２０１０−１０２４１２号公報
【発明の概要】
【発明が解決しようとする課題】
【０００４】
前記特許文献１には、表示装置にてソフトウェアキーボードを作成し、ソフトウェアキーボードのデータをリモートコントローラ装置に送信し、リモートコントローラ装置でソフトウェアキーボード描画手段により描画する方法が開示されている。しかしながら、特許文献１に記載の発明の場合、ソフトウェアキーボードデータをやり取りするためデータ量が多く、全データを一度に取得できないために表示が遅くなったりするなどの問題があった。また、Ｗｅｂサイトのアドレス入力以外の様々な使用状況に応じて必要な処理等が開示されておらずユーザーにとって使い勝手が十分ではなかった。
【課題を解決するための手段】
【０００５】
上記課題を解決するために、例えば特許請求の範囲に記載の構成を採用する。
【発明の効果】
【０００６】
本発明によれば、視聴者がテレビ放送を視聴していてソフトウェアキーボードにより文字入力を行う場合、他の端末装置側で簡単に文字入力を行うことができる。
【０００７】
上記した以外の課題、構成及び効果は、以下の実施形態の説明により明らかにされる。
【図面の簡単な説明】
【０００８】
【図１（ａ）】ネットワーク端末システムのブロック図の一例である。
【図１（ｂ）】テレビ受信機の構成図の一例である。
【図１（ｃ）】無線端末の構成図の一例である。
【図２（ａ）】テレビ受信機のストレージ・メモリの構成の一例である。
【図２（ｂ）】無線端末のストレージ・メモリの構成の一例である。
【図３（ａ）】文字列データの一例である。
【図３（ｂ）】１行テキストボックスデータの一例である。
【図３（ｃ）】１行テキストボックスデータの入力タイプが短縮表示形式の場合の一例である。
【図３（ｄ）】２行テキストボックスデータの一例である。
【図３（ｅ）】１行テキストボックスの入力タイプがパスワードの場合の一例である。
【図４（ａ）】無線端末でソフトウェアキーボードを起動する場合の動作シーケンスの一例である。
【図４（ｂ）】無線端末で文字入力が完了した後の動作シーケンスの一例である。
【図４（ｃ）】無線端末で文字入力の操作を中止する場合の動作シーケンスの一例である。
【図４（ｄ）】表示文字列の属性を取得する場合の動作シーケンスの一例である。
【図５（ａ）】「番組をさがす」画面の例である。
【図５（ｂ）】「番組をさがす」画面で新たにキーワードを登録する場合の画面遷移例である。
【図６（ａ）】テレビ受信機１のソフトウェアキーボードの文字入力画面の表示例である。
【図６（ｂ）】テレビ受信機１の文字入力画面における予測変換候補の表示例である。
【図７】無線端末のメニュー画面の表示例である。
【図８（ａ）】無線端末に表示される文字入力画面の表示例である。
【図８（ｂ）】無線端末の文字入力画面における予測変換候補の表示例である。
【図９】「番組をさがす」画面に新しく登録されたキーワードの表示例である。
【図１０】テレビ受信機のブラウザプログラム機能および文字入力プログラム機能の一例である。
【図１１】ブラウザエンジンが、検索サイトの検索文字入力に入力される検索文字列を検索キーワードとしてＷｅｂで検索を行う場合の動作シーケンスの一例である。
【図１２】テレビ受信機に表示されるＷｅｂコンテンツ画面の表示例である。
【図１３】第二の実施例に係る無線端末に表示される文字入力画面の表示例である。
【図１４】文字入力領域に入力された検索文字入力の確定した文字列の一例である。
【図１５】入力された文字列が検索文字入力テキストボックスに表示されたＷｅｂ画面の表示例である。
【図１６】テレビ受信機に表示されるＷｅｂコンテンツ表示画面のテキストボックスの文字入力例である。
【図１７】テレビ受信機に表示されるＷｅｂコンテンツ表示画面のテキストボックスのＩＤまたはパスワードを入力する場合の文字入力例である。
【図１８】無線端末でパスワードを入力する場合の文字入力画面の表示例である。
【図１９】テレビ受信機の録画番組一覧作成プログラム機能および文字入力プログラム機能の一例である。
【図２０】テレビ受信機の「録画番組一覧」画面の表示例である。
【図２１】ＡＲＩＢ標準規格で定義されているＡＲＩＢ外字の一例である。
【図２２】番組配列情報ＳＩに含まれるオリジナルの番組タイトルと実際に表示される番組タイトルの一例である。
【図２３】タイトル編集のメニュー選択画面の表示例である。
【図２４】第四の実施例に係るテレビ受信機の文字入力画面の表示例である。
【図２５】第四の実施例に係る無線端末に表示される文字入力画面の表示例である。
【図２６】「録画番組一覧」画面に番組タイトルが変更された録画番組タイトルの表示例である。
【図２７】図４（ａ）の変形例として無線端末側でソフトウェアキーボードを起動する場合の動作シーケンスの一例である。
【図２８】図２５の変形例として無線端末に表示される文字入力画面の表示例である。
【図２９】図１１の変形例として無線端末側からソフトウェアキーボードを起動する場合の動作シーケンスの一例である。
【図３０】無線端末のメニュー画面の表示例である。
【図３１】無線端末の「リモコン」操作画面の表示例である。
【発明を実施するための形態】
【０００９】
以下、本発明の実施形態について、図面を参照しながら説明する。
【実施例１】
【００１０】
以下においては、番組配列情報（イベント情報）を含むデジタル放送波を受信し、受信した番組配列情報に基づいてデジタル放送の電子番組表（ＥＰＧ）を表示するデジタル放送受信機能付きテレビ受信機および無線装置を含む通信端末システムを例にして説明を行なう。
【００１１】
日本国で運用されているＢＳデジタル放送、ＣＳデジタル放送、および地上デジタルテレビジョン放送では、１つのトランスポンダ（周波数チャネル）に複数のトランスポートストリーム（以下、「ＴＳ」と略記する）を多重化して伝送している。ＴＳは、社団法人電波産業会（ＡＲＩＢ）の標準規格に従ったデータ構造を有しており、コンテンツデータとしての要素信号（ＥＳ：Ｅｌｅｍｅｎｔａｒｙ  Ｓｔｒｅａｍ）に対して、イベント情報としての番組配列情報をヘッダとして付加したＴＳパケットで構成されている。
【００１２】
番組配列情報のデータ構造は、ＡＲＩＢ標準規格であるＡＲＩＢ  ＳＴＤ−Ｂ１０「デジタル放送に使用する番組配列情報標準規格」に従ったものである。番組配列情報は、ＭＰＥＧ（Ｍｏｖｉｎｇ  Ｐｉｃｔｕｒｅ  Ｅｘｐｅｒｔ  Ｇｒｏｕｐ）−２システム規格で規定された伝送制御情報であるＰＳＩ（Ｐｒｏｇｒａｍ  Ｓｐｅｃｉｆｉｃ  Ｉｎｆｏｒｍａｔｉｏｎ：番組特定情報）と、ＥＰＧなどを構築するためのＳＩ（Ｓｅｒｖｉｃｅ  Ｉｎｆｏｒｍａｔｉｏｎ：サービス情報）とで構成される。
【００１３】
ＳＩは、ＢＩＴ（Ｂｒｏａｄｃａｓｔｅｒ  Ｉｎｆｏｒｍａｔｉｏｎ  Ｔａｂｌｅ：放送局情報テーブル）、ＳＤＴ（Ｓｅｒｖｉｃｅ  Ｄｅｓｃｒｉｐｔｉｏｎ  Ｔａｂｌｅ：サービス記述テーブル）、ＥＩＴ（Ｅｖｅｎｔ  Ｉｎｆｏｒｍａｔｉｏｎ  Ｔａｂｌｅ：イベント情報テーブル）およびＴＯＴ（Ｔｉｍｅ  Ｏｆｆｓｅｔ  Ｔａｂｌｅ：時刻オフセットテーブル）の４つのテーブルで構成されている。
【００１４】
ＢＩＴは、ネットワーク内の放送局に関する情報を記載したものである。ＳＤＴは、ＴＳ情報部とサービス情報部に分かれており、ＴＳ情報部は、ネットワークを識別するためのネットワークＩＤと、ＴＳを識別するためのＴＳ  ＩＤ（Ｉｄｅｎｔｉｆｉｅｒ）とを含んでいる。
【００１５】
ネットワークＩＤは、ＢＳネットワーク、ＣＳ１ネットワークおよびＣＳ２ネットワークには、それぞれ異なるネットワークＩＤが割り当てられている。また、地上デジタル放送の場合は、同じ地域では放送局ごとに異なる値のネットワークＩＤが割り当てられている。サービス情報部は、ネットワーク内で個々のサービス（チャンネル）を識別するための識別子であるサービスＩＤ（いわゆるチャンネル番号）を含んでいる。
【００１６】
ＥＩＴは、イベント（いわゆる番組）ごとの番組情報を記述したものであり、サービス情報部とイベント情報部に分かれている。サービス情報部は、ネットワーク内で個々のサービス（チャンネル）を識別するための識別子であるサービスＩＤ（いわゆるチャンネル番号）を含んでいる。イベント情報部は、イベントＩＤ、イベント開始時刻、イベント継続時間、イベントの名称（いわゆる番組タイトル）、イベントのジャンルなどを含んでいる。ＴＯＴは、現在時刻を記述したものである。
【００１７】
なお、以上は日本国で運用されているデジタル放送について説明したが、各国で運用されているデジタル放送においても、上記の番組配列情報と同様の番組情報を伝送している。よって、以下に説明する本発明は、各国のデジタル放送について適用することが可能である。
【００１８】
以下、本発明に係る第一の実施形態を説明する。
【００１９】
［システム構成］
図１（ａ）は、第一の実施形態に係る通信端末システムの一実施例を示すブロック構成図である。
本実施例の通信端末システムは、例えば、テレビ受信機１、無線端末１５、無線ルーター１３、外部ネットワーク１４から構成される。図示の例は、情報通信端末としての携帯電話機等の移動体通信端末である無線端末１５の利用者が、その無線端末１５を持って家庭や店舗等で、テレビ受信機１でテレビ番組を視聴しているときの例である。
【００２０】
無線ルーター１３は、Ｗｉ−Ｆｉなどの無線ＬＡＮ機能を備え、通信回線を経由して外部ネットワークに接続できる。また、無線ルーター１３は、テレビ受信機１、テレビ受信機２４、無線端末１５、外部ネットワーク１４と接続されており、テレビ受信機１、テレビ受信機２４または無線端末１５は、インターネット網から情報を入手することができる。
【００２１】
また、無線ルーター１３は、テレビ受信機１またはテレビ受信機２４とは、有線ＬＡＮまたは無線ＬＡＮで接続されており、無線端末１５とは無線ＬＡＮで接続されているものとする。ここで、Ｗｉ−Ｆｉは、ＩＥＥＥ（米国電気電子学会）の規格「ＩＥＥＥ  ８０２．１１ａ／ＩＥＥＥ  ８０２．１１ｂ」で策定された無線ＬＡＮ（Ｌｏｃａｌ  Ａｒｅａ  Ｎｅｔｗｏｒｋ）の標準規格である。
以下、本発明に係る第一の実施形態を、図面を参照しながら説明する。
【００２２】
［テレビ受信機］
図１（ｂ）は、テレビ受信機１の構成図の一例である。
テレビ受信機１は、アンテナ３８に接続され、チューナ・復調部２、信号分離部３、制御部４、選局制御部５、入力手段６、ストレージ８、メモリ３７、重畳部１０、表示部１１、通信Ｉ／Ｆ１２、音声復調部３９、映像復調部４０、スピーカ４１、音声出力部４２、映像出力部４３などを含む。それぞれの処理部がバス１２０を介して接続される。
【００２３】
また、テレビ受信機１は、アプリケーションプログラムをストレージ８に格納可能としており、制御部４がストレージ８から上記プログラムをメモリ３７に展開し、制御部４が上記プログラムを実行することでさまざまな機能を実現することができる。以後の説明では説明を簡単にするため、制御部４が各アプリケーションプログラムを実行して実現する各種機能を、各種プログラム機能部が主体となって実現することとして説明する。
【００２４】
なお、アプリケーションプログラムは、テレビ受信機１が出荷されるまでに予めストレージ８に格納されていても良いし、ＣＤ（Ｃｏｍｐａｃｔ  Ｄｉｓｋ）・ＤＶＤ（Ｄｉｇｉｔａｌ  Ｖｅｒｓａｔｉｌｅ  Ｄｉｓｋ）などの光学メディアや半導体メモリ等の媒体に格納されて図示しない媒体接続部を介してテレビ受信機１にインストールされても良い。また、通信Ｉ／Ｆ１２及び無線ルーター１３を介して外部ネットワーク１４からダウンロードしてインストールすることも可能である。
【００２５】
また、アプリケーションプログラムの各種機能は同様の機能を持つ処理部として、ハードウェアで実現することも可能である。ハードウェアとして実現する場合は、各処理部が主体となって各機能を実現する。
【００２６】
入力手段６は、ユーザーからのテレビ受信機１に対する操作を受け付け、入力操作に関する制御情報を入力する入力手段であり、例えば、リモコン、キーボード、マウス等のポインティングデバイス等により実現される。
【００２７】
制御部４は、ユーザーの操作要求を入力手段６を経由して受け取り、信号分離部３、選局制御部５、ストレージ８、重畳部１０、通信Ｉ／Ｆ１２、各種プログラム機能部の各ブロックを制御する。
【００２８】
ストレージ８は、制御部４の指示により制御され、アプリケーションプログラムを保存することができる。また、アプリケーションプログラムで作成した各種情報を保存する。また、チューナ・復調部２や通信Ｉ／Ｆ１２から受信した信号から映像音声ストリーム等のコンテンツを保存してもよい。
【００２９】
メモリ３７は、制御部４の指示により制御される。メモリ３７に、ストレージ８に格納しているアプリケーションプログラムの機能部が展開される。
【００３０】
チューナ・復調部２は、選局制御部５により、所望のサービスのチャンネルに同調することで、放送局９９９より放送信号を受信し、受信した放送信号を復調してトランスポートストリームを取得する。なお、図１（ｂ）の例では、説明を簡単にするため、チューナ・復調部２が一つの構成を例示している。しかしながら、視聴と録画を並行して行う機能や伝送周波数の異なる複数のチャンネルのコンテンツを同時に視聴する機能を搭載する場合は、複数のチューナ・復調部２を搭載すればよい。したがって、以下の説明におけるチューナ・復調部２は、すべて同一である必要はない。それぞれの処理に応じて異なるチューナ・復調部であってもよい。
【００３１】
選局制御部５は、入力手段６を経由してサービスを選局する指示を受け、指示に応じて選局するチャンネルを切り替えるようにチューナ・復調部２を制御する。また、選局制御部５は、各種プログラム機能部からの指示を受けとることができ、現在放送中のイベント（番組）を放送しているサービス（チャンネル番号）およびそのサービスが属する放送提示単位に切り替えるようにチューナ・復調部２を制御する。
【００３２】
通信Ｉ／Ｆ１２は、有線ＬＡＮ１２２または無線ＬＡＮにより、無線ルーター１３に接続される。また、通信Ｉ／Ｆ１２は無線ルーター１３との通信機能に加えてまたはこれに替えて、Ｗｉ‐Ｆｉ（登録商標）などの無線ＬＡＮ、ＩｒＤＡ（登録商標）、Ｂｌｕｅｔｏｏｔｈ（登録商標）、ＮＦＣ（Ｎｅａｒ  Ｆｉｅｌｄ  Ｃｏｍｍｕｎｉｃａｔｉｏｎ）などの方法で外部の機器と無線ルーター１３を介さずに直接通信するように構成してもよい。通信Ｉ／Ｆは、異なる通信方式を行うチップをそれぞれ実装しても良い。また、複数の通信方式を扱う１つのチップとして実装されていても良い。
以下、通信Ｉ／Ｆ１２は無線ルーター１３を介してテレビ受信機２４や無線端末１５と各種情報を送受信する例を説明するが、上述のとおり無線ルーター１３を介さずに各種情報を直接送受信してもよい。また、通信Ｉ／Ｆ１２は、無線ルーター１３を介して外部ネットワークと接続された装置とも各種情報を送受信可能である。例えば、外部ネットワークと接続されたサーバーからＩＰ放送や、ビデオオンデマンド、など形態でコンテンツストリーム（映像音声ストリーム）を受信することも可能である。また、外部ネットワークと接続されたサーバーから映像ストリームやアプリケーションプログラムをダウンロードすることも可能である。ダウンロードした情報は、例えば、ストレージ８に格納される。
【００３３】
信号分離部３は、チューナ・復調部２で得たトランスポートストリームや、通信Ｉ／Ｆ１２を介して得たコンテンツのストリームについて、映像データ、音声データ、字幕文データ、番組情報等、種類ごとに分離する。また番組情報（例えば、番組配列情報ＳＩ）を取得し、他の処理ブロックに送信する機能を有する。また、他の処理部からデータ送信要求があった場合には、指定されたデータを、要求元へデータを送信する。
【００３４】
音声復号部３９は、信号分離部３で分離した音声データを復号する。音声復号部３９で復号された音声情報は、スピーカ４１から出力される。音声復号部３９で復号された音声情報は、音声出力部４２から外部機器へ出力してもよい。
【００３５】
映像復号部４０は、信号分離部３で分離した映像データを復号する。映像復号部４０で復号された映像情報は、重畳部１０に送られる。
【００３６】
重畳部１０は、映像復号部４０から送られる復号映像情報に各種プログラム機能部で作成されたＥＰＧ画像、ＯＳＤ画像や、信号分離部３から分離された各種情報（字幕情報、字幕スーパー、データ放送データ等）から生成された画像等を重畳する。
【００３７】
重畳部１０を経た映像情報は表示部１１で表示する。表示部１１は、例えばテレビやパソコンのディスプレイあるいは液晶パネル等によって構成される。また、重畳部１０を経た映像情報は、映像出力部４３から外部機器へ出力してもよい。
【００３８】
また、信号分離部３で所定の番組についてのトランスポートストリームを分離し、映像や音声を復号せずに出力するデジタルＩ／Ｆ４４を設けてもよい。
【００３９】
テレビ受信機２４の各部の構成は、テレビ受信機１と同様のため、ここでは説明を省略する。本実施例では１はテレビ受信機として説明をするが、ＳＴＢやレコーダーなどで代替することも可能であり、この場合は図１（ｂ）のテレビ受信機の構成からスピーカ４１や表示部１１を省略することも可能である。
【００４０】
［無線端末］
図１（ｃ）は無線端末１５の構成図の一例である。
無線端末１５は、例えば、通信Ｉ／Ｆ１６、制御部１７、表示部１９、入力手段２０、信号分離部２１、チューナ・復調部２２、ストレージ２５、移動体通信Ｉ／Ｆ３１、メモリ３２、加速度センサ部３３、地磁気センサ部３４、ＧＰＳ受信部３５、ジャイロセンサ部３６から構成され、それぞれの処理部がバス１２１を介して接続される。
【００４１】
また、無線端末１５は、アプリケーションプログラムをストレージ２５に格納しており、制御部１７がストレージ２５から上記プログラムをメモリ３２に展開し、制御部１７が上記プログラムを実行することで各種機能を実現することができる。以後の説明では説明を簡単にするため、制御部１７が各アプリケーションプログラムを実行して実現する各種機能を、各種プログラム機能部が主体となって実現することとして説明する。
【００４２】
なお、アプリケーションプログラムは、無線端末１５が出荷されるまでに予めストレージ２５に格納されていても良いし、ＣＤ（Ｃｏｍｐａｃｔ  Ｄｉｓｋ）・ＤＶＤ（Ｄｉｇｉｔａｌ  Ｖｅｒｓａｔｉｌｅ  Ｄｉｓｋ）などの光学メディアや半導体メモリ等の媒体に格納されて図示しない媒体接続部を介して無線端末１５にインストールされても良い。また、通信Ｉ／Ｆ１６及び無線ルーター１３を介して外部ネットワーク１４からダウンロードしてインストールしてもよい。若しくは移動体通信Ｉ／Ｆ３１を介して基地局２３を介して配信元からダウンロードしてインストールしてもよい。さらに、ネットワークを介してアプリケーションプログラムを取得したパーソナルコンピュータ（ＰＣ）に図示しない外部機器接続Ｉ／Ｆを介して接続し、ＰＣから無線端末１５にムーブまたはコピーしてインストールすることも可能である。
【００４３】
また、アプリケーションプログラムは、同様の機能を持つ処理部として、ハードウェアで実現することも可能である。ハードウェアとして実現する場合は、各処理部が主体となって各機能を実現する。
【００４４】
通信Ｉ／Ｆ１６は、無線ＬＡＮなどにより、無線ルーター１３に接続される。無線ルーター１３との通信機能に加えてまたはこれに替えて、Ｗｉ‐Ｆｉ（登録商標）などの無線ＬＡＮや、ＩｒＤＡ（登録商標）、Ｂｌｕｅｔｏｏｔｈ（登録商標）、ＮＦＣ（Ｎｅａｒ  Ｆｉｅｌｄ  Ｃｏｍｍｕｎｉｃａｔｉｏｎ）などの方法で、無線ルーター１３を介さずにテレビ受信機１またはテレビ受信機２４などの他の機器と直接通信することが可能である。通信Ｉ／Ｆ１６は、テレビ受信機１の通信Ｉ／Ｆ１２と各種情報の送受信を行う。また、通信Ｉ／Ｆ１６は、無線ルーター１３を介して外部ネットワークと接続され、外部ネットワーク上のサーバー等と情報の送受信を行う。通信Ｉ／Ｆは、異なる通信方式を行うチップをそれぞれ実装しても良い。
また、複数の通信方式を扱う１つのチップとして実装されていても良い。移動体通信Ｉ／Ｆ３１は、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）方式、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）方式やＣＤＭＡ２０００方式、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）方式などの第３世代移動通信システム（以下「３Ｇ」と表記する）、またはＬＴＥ（Ｌｏｎｇ  Ｔｅｒｍ  Ｅｖｏｌｕｔｉｏｎ）方式などの移動体通信網を利用して基地局２３を通して通信ネットワークに接続され、通信ネットワーク上のサーバーと情報の送受信を行うことができる。
【００４５】
制御部１７は、ユーザーの操作要求を入力手段２０を経由して受け取り、信号分離部２１、表示部１９、通信Ｉ／Ｆ１６、各種プログラム機能部を制御する。
【００４６】
さらに、制御部１７は、通信Ｉ／Ｆ１６及び無線ルーター１３を経由して外部ネットワーク１４、または、移動体通信Ｉ／Ｆ３１及び基地局２３を経由して外部ネットワーク１４からも番組情報を抽出し番組配列情報ＳＩを取得でき、各種プログラム機能部に渡す機能も有する。
【００４７】
本実施例では、信号分離部２１でデジタル放送の番組情報を抽出し番組配列情報ＳＩを取得する場合の例について説明するが、通信Ｉ／Ｆ１６や移動体通信Ｉ／Ｆ３１を介して外部ネットワークや配信元から番組配列情報ＳＩを取得することも可能である。この場合は信号分離部２１及びチューナ・復調部２２を無線端末１５の構成から省略することも可能である。
【００４８】
ストレージ２５は、制御部１７の指示により制御され、アプリケーションプログラムを保存することができる。また、アプリケーションプログラムで作成した各種情報を保存する。また、チューナ・復調部２２、通信Ｉ／Ｆ１６、または移動体通信Ｉ／Ｆ３１から受信した信号から映像音声ストリーム等のコンテンツを保存してもよい。
【００４９】
メモリ３２は、制御部１７の指示により制御される。制御部１７によってメモリ３２に、ストレージ２５に格納しているアプリケーションプログラムの機能部が展開される。
【００５０】
表示部１９は、画像や映像を表示する。表示する画像、映像はアプリケーションプログラムで生成された画像でもよく、チューナ・復調部２２を介して受信したコンテンツの画像、映像でもよく、通信Ｉ／Ｆ１６を介して外部ネットワーク上のサーバーから受信した画像、映像でもよく、通信Ｉ／Ｆ１６を介してテレビ受信機１から受信した画像、映像でもよく、移動体通信Ｉ／Ｆ３１を介して通信ネットワーク上のサーバーから配信された画像、映像でもよい。また、表示部１９は、例えば下記のタッチパネル等と一体として構成されてもよい。
【００５１】
入力手段２０は、ユーザーからの無線端末１５に対する操作を受け付け、入力操作に関する制御情報を入力する入力手段であり、例えば、物理的なボタンやタッチパネルなどを用いることができる。以下、本実施例では、タッチパネルを使用した例について説明するが各種操作は物理的なボタンを用いる構成でもよい。
【００５２】
タッチパネル上の任意オブジェクト（アイコン）等を指でタッチした状態で移動する操作（ドラッグ操作）または画面上で指をはじくようにして動かす操作（フリック操作）を行うことによりオブジェクト等を自由に移動したりすることができる。また、オブジェクト等を指で１回叩く操作（タップ操作）または２回叩く操作（ダブルタップ操作）を行うと、オブジェクト（アイコン）等を活性化したり別の画面に切り替えたりすることができる。本実施例では、上述のタッチパネルの各操作をドラッグ操作、フリック操作、タップ操作と称して説明する。
【００５３】
チューナ・復調部２２、信号分離部２１は、それぞれテレビ受信機１のチューナ・復調部２、信号分離部３、と同等の働きを持つ。これらの機能は既に説明したので説明を省略する。
【００５４】
加速度センサ部３３は、無線端末１５にかかる加速度を測定する。制御部１７は、例えば加速度センサ部３３により重力加速度を測定することによって、無線端末１５のどの部分が上方であるのかを知ることができ、表示部１９に表示させる画面の上方を加速度センサ部３３が測定した上方と合わせるように表示させることによって、ユーザーによる無線端末１５の持ち方に合わせた画面を表示させることができる。
【００５５】
地磁気センサ部３４は、複数の磁気センサを利用するなどして地磁気を測定する。
【００５６】
ＧＰＳ受信部３５は、ＧＰＳ（Ｇｒｏｂａｌ  Ｐｏｓｉｔｉｏｎｉｎｇ  Ｓｙｓｔｅｍ）を利用して複数の衛星から送信される信号を受信する。制御部１７は、ＧＰＳ受信部３５が受信した信号を基に、無線端末１５の位置情報を計算することができる。制御部１７は、例えば通信Ｉ／Ｆや移動体通信Ｉ／Ｆを介してネットワークから番組配列情報ＳＩを取得する場合に、無線端末１５の位置情報を番組配列情報ＳＩの送信元に送信し、番組配列情報ＳＩの送信元は無線端末１５がある地域に応じた番組配列情報ＳＩを無線端末１５に送信することができる。
【００５７】
ジャイロセンサ部３６は、無線端末１５をユーザーが動かした場合などに発生する無線端末１５の角速度を測定する。
【００５８】
［２．ソフトウェア構成］
図２（ａ）は、無線端末１５の文字入力プログラム機能についての説明図である。図２（ａ）において、無線端末１５の構成のうちストレージ２５とメモリ３２を示している。図２（ａ）は、ストレージ２５に文字入力プログラム２００１、基本辞書２００７、履歴辞書２００８を格納しており、制御部１７が文字入力プログラム２００１をメモリ３２に文字入力部２００２として展開した状態を示している。文字入力プログラム２００１、基本辞書２００７、履歴辞書２００８は、製品の出荷時点でストレージ２５に格納しておいてもよく、通信Ｉ／Ｆ１６または移動体通信Ｉ／Ｆ３１を介してダウンロードしてもよい。
【００５９】
文字入力部２００２は、テレビ受信機１の入力手段６がユーザーから操作を受け、表示部１１に表示されたソフトウェアキーボードが表示された場合、テレビ受信機１に連動して起動し無線端末１５側の入力手段６で文字入力ができる。
【００６０】
基本辞書２００７は、入力された文字に対して予測変換候補を表示するための辞書機能を有し、文字入力部２００２は優先度に従って変換候補を抽出し、変換候補を予測変換候補表示部に出力する。優先度は、それぞれの語句に対して基本辞書２００７に予め記憶されている。
【００６１】
履歴辞書２００８は、過去の文字入力の履歴が記憶されており、文字が入力された場合は、文字入力部２００２はその履歴データの優先度に従って変換候補を抽出し、予測変換候補表示部に出力する。
【００６２】
図２（ｂ）は、テレビ受信機１の文字入力プログラム機能、検索処理プログラム機能についての説明図である。図２（ｂ）において、テレビ受信機１の構成のうちストレージ８とメモリ３７を示している。図２（ｂ）は、ストレージ８に文字入力プログラム２００３、検索処理プログラム２００５、基本辞書２００９及び履歴辞書２０１０を格納しており、制御部４が文字入力プログラム２００３及び検索処理プログラム２００５をメモリ３７に文字入力部２００４及び検索処理部２００６として展開した状態を示している。文字入力プログラム２００３、検索処理プログラム２００５、基本辞書２００９及び履歴辞書２０１０は、製品の出荷時点でストレージ８または図示しない不揮発性メモリに格納しておいてもよく、通信Ｉ／Ｆ１２またはデジタル放送波を介してダウンロードしてもよい。
【００６３】
文字入力部２００４は、テレビ受信機１で文字入力を行う場合、入力手段６がユーザーからの操作を受け、表示部１１に表示されたソフトウェアキーボードまたは物理的なボタンにより文字列が入力されると、文字列情報を検索条件として検索処理部２００６に渡す制御を行う。また、無線端末１５で文字入力を行う場合、一行の文字数、行数等の入力フォームおよび有効文字種などの情報を属性情報として無線端末１５の文字入力部２００２に送信し、無線端末１５側でユーザーからの文字入力に対する有効性の判断を行い、有効な文字列データをテレビ受信機１が受け取る。
【００６４】
基本辞書２００９は、入力された文字に対して予測変換候補を表示するための辞書機能を有し、文字入力部２００４は、優先度に従って変換候補を抽出し、変換候補を予測変換候補表示部に出力する。優先度は、それぞれの語句に対して基本辞書２００９に予め記憶されている。
【００６５】
履歴辞書２０１０は、過去の文字入力の履歴が記憶されており、文字が入力された場合は、文字入力部２００４はその履歴データの優先度に従って変換候補を抽出し、予測変換候補表示部に出力する。
【００６６】
検索処理部２００６は、入力手段６から受け取った文字列または無線端末１５の入力手段２０から受け取った文字列を検索条件として、信号分離部３から番組配列情報ＳＩを取得して番組の検索を行い、検索条件に合致する検索結果を制御部４を介して表示部１１に表示させる。
【００６７】
本実施形態では、テレビ受信機１で視聴したい番組や番組予約したい番組を検索する場合にジャンル、番組タイトル、出演者等のキーワード入力時の文字入力について説明する。
【００６８】
［データ形式］
次に、図３（ａ）〜（ｅ）を用いて、本実施形態のネットワーク端末システムに関連するデータ形式について説明する。
図３（ａ）〜（ｅ）は、テレビ受信機１から無線端末１５または無線端末からテレビ受信機１へ送信される文字列情報のデータ形式の一例を示す図である。
【００６９】
図３（ａ）は、文字列データの一例である。
図３（ｂ）は、１行テキストボックスデータの一例である。このデータ例は、検索キーワード入力などの入力の場合に用いられる。
図３（ｃ）は、１行テキストボックスデータの入力タイプ１０３が短縮表示形式の場合の一例である。このデータ例は、録画番組タイトルなどでオリジナルの番組タイトルに対して文字数制限により短縮表示形式で表示される場合の入力に用いられ、入力フォームで指定される文字数に対して、文字列データの文字数を多く設定できる。短縮表示形式の入力の場合は、入力タイプ１０３が「短縮表示形式」として設定される。この例の具体的実施例は、後述する実施例４で述べる。
【００７０】
図３（ｄ）は、２行テキストボックスデータの一例である。このデータ例は、文章などを入力する場合に用いられる。複数行の場合は、指定する行数が設定される。この例の具体的実施例は、後述する実施例３で述べる。
【００７１】
図３（ｅ）は、１行テキストボックスの入力タイプ１０３がパスワード形式の場合の一例である。半角英数字が８文字までとなっている場合で、Ｗｅｂブラウザ画面のＩＤやパスワードなどを入力する場合に用いられる。パスワード入力の場合は、入力タイプ１０３が「パスワード形式」として設定される。この例の具体的実施例は、後述する実施例３で述べる。
【００７２】
文字列情報は、図３（ａ）〜（ｅ）に示されるように、文字列１００およびその属性として入力フォーム１０１、有効文字種１０２および入力タイプ１０３の形式で構成される。
文字列１００は、入力手段６または入力手段２０から入力された文字列を表す。
属性の入力フォーム１０１は、入力可能な文字の行数および文字数／行の最大値を表す。機能により１行テキストボックスまたは複数行テキストボックスが表示され、有効な最大の行数または文字数を設定される。
属性の有効文字種１０２は、入力可能な文字の種類を表す。ＩＤやパスワード等特殊記号を除いた英数字に限定する場合などに、その有効な文字種が設定される。また、特殊記号のみを禁止する場合は、本実施例では図示していないがデータ形式を拡張して「禁止文字種」等の属性を追加して禁止したい文字をそのまま記述することもできる。
属性の入力タイプ１０３は、入力文字の属性を示すもので、パスワードなどの入力された文字列をアスタリスク（＊）などの記号に置き換えて表示する場合や短縮表示などの文字列入力の場合に設定される。
【００７３】
次に、図１、図２、図３および図４を用い、入力手段１５がユーザー操作を受けて無線端末１５の文字入力部２００２が起動し、文字入力部２００２から文字入力を行う場合について説明する。
【００７４】
［動作シーケンス］
以下、図４（ａ）〜（ｂ）を用いて、文字入力プログラム２００１と無線端末１５の各ハードウェアの協働および文字入力プログラム２００３とテレビ受信機１の各ハードウェアの協働により実現される動作シーケンスについて説明する。
【００７５】
図４（ａ）は、無線端末１５でソフトウェアキーボードを起動する場合の動作シーケンスの一例である。本動作シーケンスの例では、テレビ受信機１で文字入力のためのソフトウェアキーボードが既に起動している場合の例を示す。
図４（ａ）において、無線端末１５の入力手段２０により表示部１９に表示された「文字入力」ボタンがタップ操作されると、文字入力部２００２はテレビ受信機１の制御部４に対して無線端末１５の通信Ｉ／Ｆ１６を経由してソフトウェアキーボードが起動しているかどうかの確認要求を送信する（Ｓ１０００）。
【００７６】
確認要求を受信した制御部４は、通信Ｉ／Ｆ１２を経由してソフトウェアキーボードの起動状態を無線端末１５の制御部１７に通知する（Ｓ１００１）。図４（ａ）では、テレビ受信機１において、ソフトウェアキーボードが起動しているため、Ｓ１００１ではソフトウェアキーボードが起動している旨の通知が無線端末１５の制御部１７に通知される。
無線端末１５の制御部１７は、テレビ受信機１の制御部４からの通知を受け、テレビ受信機１のソフトウェアキーボードが起動状態であるので、制御部１７は文字入力部２００２に対してソフトウェアキーボードの起動を指示し文字入力画面を表示させる。
【００７７】
次に、無線端末１５の制御部１７は、テレビ受信機１に対して無線端末１５の通信Ｉ／Ｆ１６を経由して文字列データの取得を要求する（Ｓ１００２）。
【００７８】
制御部４は、表示部１１に表示されたソフトウェアキーボードに既に文字入力されている文字列データ、基本辞書２００９および履歴辞書２０１０のデータを通信Ｉ／Ｆ１２を経由して無線端末１５の制御部１７に送信する（Ｓ１００３）。
ここで、テレビ受信機１において文字入力がされていなければ、文字列データは空白（スペース）のデータを送信したり、また文字列データのみ非送信とすることもできる。
【００７９】
文字入力部２００２は、表示部１９に表示されたソフトウェアキーボードの文字入力画面に受け取った文字列を表示するように指示する。また、テレビ受信機１の辞書と無線端末１５の辞書は常に同期しており、文字入力の際に辞書を更新するために、テレビ受信機１の基本辞書２００９および履歴辞書２０１０のデータは、それぞれ無線端末１５の基本辞書２００７および履歴辞書２００８にコピーされる。
【００８０】
また、図４（ａ）の変形例として、ステップＳ１０００を省略して、テレビ受信機１が通信Ｉ／Ｆ１２を経由して起動状態を無線端末１５の制御部１７に直接通知することにより（Ｓ１００１）、テレビ受信機１のソフトウェアキーボードの起動に連動して無線端末１５のソフトウェアキーボードを起動し文字入力画面を表示することもできる。
【００８１】
図４（ｂ）は、無線端末で文字入力が完了した後の動作シーケンスの一例である。
入力手段２０が受け付けたユーザ操作に基づき、無線端末１５の文字入力手段２００２は、ソフトウェアキーボードの文字入力画面に基本辞書２００７および履歴辞書２００８を参照して文字を入力する。次に、無線端末１５に入力された文字を確定するために表示部１９に表示された「送信」ボタンがタップ操作されると、無線端末１５のソフトウェアキーボードの文字入力画面に入力された文字列データと文字入力時に参照された基本辞書２００７および履歴辞書２００８のデータは、制御部１４から通信Ｉ／Ｆ１６を経由してテレビ受信機１の制御部４に送信される（Ｓ１００４）。
【００８２】
制御部１７は表示部１９に表示されたソフトウェアキーボードの文字入力画面を閉じる。また、テレビ受信機１の制御部４は、無線端末１５からの文字列データ、基本辞書２００７および履歴辞書２００８のデータを受け取り、ソフトウェアキーボードの文字入力画面を閉じて遷移前の画面に戻り文字入力が確定される。さらに、更新された基本辞書２００７および履歴辞書２００８のデータは、それぞれ基本辞書２００９および履歴辞書２０１０にコピーされ、テレビ受信機１の辞書と無線端末１５の辞書のデータが同期する。
【００８３】
図４（ｂ）の例では、テレビ受信機１は、無線端末１５から文字列データを受け取った後、自動的にソフトウェアキーボードの文字入力画面を閉じるようになっているが、テレビ受信機１の文字入力画面を閉じずに表示した状態で編集前の文字列を無線端末１５から受け取った新しい文字列に更新して確認できるようにしても良い。このようにすることにより、再度編集が必要な場合に容易に編集画面に遷移することもできる。また、基本辞書２００７および履歴辞書２００８は、差分のデータのみを受け渡すことにより、通信データ量を減らすことができる。
【００８４】
図４（ｃ）は、無線端末１５で文字入力の操作を中止する場合の動作シーケンスの一例である。
【００８５】
入力手段２０が、ユーザによる無線端末１５の表示部１９に表示された「戻る」ボタンがタップ操作されると、制御部１７はテレビ受信機１に対してソフトウェアキーボードの文字入力画面の終了を要求する（Ｓ１００５）。
制御部４は、この要求を受信することによりソフトウェアキーボードの文字入力画面を閉じて遷移前の画面に戻る。また、この要求を送信した無線端末１５も文字入力画面を閉じて遷移前の画面に戻る。
【００８６】
図４（ｄ）は、表示文字列の属性を取得する場合の動作シーケンスの一例である。
図４（ｄ）において、無線端末１５の制御部１７は、文字入力画面を起動すると、文字入力に入力フォーム、文字種などの制限条件としての表示文字列属性をテレビ受信機１に要求し（Ｓ１００６）、制御部４は設定可能な入力フォーム、文字種などの条件に応じて文字列属性を無線端末１５に送信する（Ｓ１００７）。この動作シーケンスは、図４（ａ）の文字列および辞書データの取得と同じタイミングで文字列属性を取得するようにしても良い。
【００８７】
［画面表示例］
図５は、「番組をさがす」画面２００で新たにキーワードを登録する場合の画面遷移例である。
【００８８】
テレビ受信機１の制御部４が、入力手段６により「番組をさがす」画面の起動指令を受けると、検索処理部２００６は図５（ａ）に示すような「番組をさがす」画面２００を表示する。
【００８９】
図５（ａ）において、入力手段６により「詳しくさがす」２０１が選択されると、初期選択項目として「ジャンル」２０２が選択される。次に、図５（ｂ）において、入力手段６により「新規お好み登録」２０３、「キーワード入力」２０４、「新規キーワード登録」２０５の手順で「新規キーワード登録」２０５が選択されると、制御部４は文字入力部２００４に対して表示部１１に図６（ａ）に示すソフトウェアキーボードの文字入力画面２５０を表示するように指令する。
【００９０】
図６はテレビ受信機１のソフトウェアキーボードの文字入力画面２５０の表示例である。
図６（ａ）において、文字入力領域２０６には、入力手段６により数字キー２０７を使用して、ユーザー所望の文字列を入力することができ、例えば、「２」ボタンにより「Ａ」→「Ｂ」→「Ｃ」のように文字を選択することができる。また、「Ａ」、「Ｂ」、「Ｃ」の各文字入力時は、予測変換候補表示部２１１に各文字入力に対する変換候補文字または文字列が表示される。入力手段６により予測変換候補表示部２１１の変換候補を選択し「決定ボタン」２１０が選択されることにより、文字列を入力することができる。
【００９１】
図６（ｂ）は、「Ａ」、「Ｂ」の順に文字を入力・確定し、最後に「Ｃ」を入力して「Ｃ」が未確定であるために予測変換候補表示部２１１に予測変換候補が表示されている状態を示している。
【００９２】
予測変換候補表示部２１１に表示される予測変換候補は、基本辞書２００７または履歴辞書２００８、もしくはその両方に登録された文字列が表示される。図６（ｂ）の例では、「Ｃ」の大文字、小文字に加え、基本辞書２００７に登録された「Ｃ」から始まる単語のうち、アルファベット順で上位になる単語が表示される。また、履歴辞書２００８に登録されている場合は「Ｃ」から始まる単語のうち、使用する頻度の高い単語が上位に表示されるように設定することもできる。
【００９３】
本実施形態では、「数字方式」よる「英字入力」のソフトウェアキーボードによる入力方式で説明しているが、「文字種」ボタン２０８が選択されることにより「ひらがな」、「カタカナ」、「数字」に文字種を切り換えることができる。また、「入力方法」ボタン２０９を選択することにより「数字方式」と「ＱＷＥＲＴＹ配列方式」とを切り換えることができる。
次に、無線端末１５から文字入力を行う場合について説明する。
【００９４】
図７は、無線端末１５のメニュー画面の表示例である。
図７において、「文字入力」２１３がタップ操作されると、図４（ａ）に示す動作シーケンスにより無線端末１５の表示部１９に図８（ａ）に示すような文字入力画面２１４が表示される。また、テレビ受信機１の文字入力画面２５０の起動より先に無線端末１５の文字入力画面２１４を起動しようとした場合など、無線端末１５の文字入力画面起動に失敗した場合は、エラーメッセージを表示し、「取得」ボタン２２２により文字列を再取得することができる。
【００９５】
また、前述した図４（ａ）の変形例のように、無線端末１５のメニュー画面に表示された「文字入力」２１３のタップ操作を省略することにより、テレビ受信機１の文字入力画面２５０の起動に連動して無線端末１５の文字入力画面２１４を表示することもできる。この場合は、メニュー画面の設定メニューでどちらかが選択できるようにしても良い。
【００９６】
図８は、無線端末１５に表示される文字入力画面の表示例である。
図８（ａ）は、図４（ａ）のＳ１００３で文字列データを受信した無線端末１５が文字入力画面を表示した場合の初期画面の例である。
図８（ａ）において、文字入力領域２１５には、図４（ａ）に示す動作シーケンスにより、図６（ｂ）に示すテレビ受信機１の文字入力領域２０５に入力されていた「ＡＢＣ」の文字が表示される。
【００９７】
次に、入力手段２０により数字キー２１６を使用して、「ＤＥＦ」と入力する場合の画面表示例について説明する。
【００９８】
図８（ｂ）は、「Ｄ」、「Ｅ」の順に文字を入力・確定し、最後に「Ｆ」を入力して「Ｆ」が未確定であるために予測変換候補表示部２２３に予測変換候補が表示されている状態を示している。
【００９９】
図８（ｂ）において、文字入力領域２１５に「３」ボタンにより「Ｄ」→「Ｅ」→「Ｆ」のように文字を入力することができ、「Ｄ」、「Ｅ」、「Ｆ」の各文字入力時は、予測変換候補表示部２２３に各文字入力に対する変換候補文字または文字列が表示される。入力手段２０により予測変換候補表示部２２３の変換候補をタップ操作により選択し文字列を入力することができる。
【０１００】
予測変換候補表示部２２３に表示される予測変換候補は、基本辞書２００９または履歴辞書２０１０、もしくはその両方に登録された文字列が表示される。図８（ｂ）の例では、「Ｆ」の大文字、小文字に加え、基本辞書２００９に登録された「Ｆ」から始まる単語のうち、アルファベット順で上位になる単語が表示される。また、履歴辞書２０１０に登録されている場合は「Ｆ」から始まる単語のうち、使用する頻度の高い単語が上位に表示されるように設定することもできる。
【０１０１】
本実施形態では、「数字方式」よる「英字入力」のソフトウェアキーボードによる入力方式で説明しているが、「切替」ボタン２１７がタップ操作されることにより「ひらがな」、「カタカナ」、「数字」に文字種を切り換えることができる。また、図示はしていないが、前述したテレビ受信機１の文字入力の例のように、「数字方式」と「ＱＷＥＲＴＹ配列方式」とを切り換えることもできる。また、「削除」ボタン２１８は、最後に入力した文字を削除するときに使用され、タップ操作で１文字ずつ削除することができる。さらに、「カーソル右移動」ボタン２１９は、数字方式で同じボタンに割り当てられている文字を連続して入力するときにタップ操作でカーソルを右に移動することができる。
【０１０２】
次に、文字入力領域２１５に入力された文字列「ＡＢＣＤＥＦ」で、文字の入力が完了した後の動作について説明する。
【０１０３】
図８（ｂ）において、無線端末１５側の文字入力を確定するために文字入力画面２１４の「送信」ボタン２２０がタップ操作されると、図４（ｂ）に示す動作シーケンスにより、無線端末１５の文字入力領域２１５に入力された文字列「ＡＢＣＤＥＦ」および辞書データがテレビ受信機１に送信される。制御部４は、無線端末からの文字列および辞書データを受け取ると、ソフトウェアキーボードの文字入力画面２５０を閉じて図９に示すような遷移前の画面に戻り、テレビ受信機１の文字入力を確定する。
【０１０４】
また、文字入力画面２１４の「送信」ボタン２２０が操作されたとき、何らかの理由でテレビ受信機１の文字入力画面が途中で起動していない状態になった場合は、図４（ｂ）のシーケンスでテレビ受信機１からの応答内容により無線端末１５の表示部にエラー表示を行い、文字列送信を中断するようにしても良い。
【０１０５】
また、図４（ｃ）で説明したように、文字入力を中止する場合は、「戻る」ボタン２２１が選択されることによりソフトウェアキーボードの文字入力画面を閉じて遷移前の画面に戻すことができる。
【０１０６】
図９は、「番組をさがす」画面２００に新しく登録されたキーワードの表示例である。新規登録されたキーワード２２３は、無線端末１５の文字入力画面に表示された文字列と同じ文字列「ＡＢＣＤＥＦ」として「番組をさがす」画面２００に表示される。
【０１０７】
このように、テレビ受信機側で文字入力を行う場合、無線端末側で簡単に文字入力を行うことができる。図９に例示した他のメニューボタンを選択した場合でも、文字入力を行う必要がある場合は上述した方法により、無線端末１５で入力した文字をテレビ受信機１へと送信することができる。
【実施例２】
【０１０８】
以下、本発明に係る第二の実施形態を、図１、図２（ａ）、図６（ａ）、図７、図１０〜図１５を用いて説明する。
なお、本実施形態では、第一の実施形態と比較し、異なるところを強調して説明する。
【０１０９】
［システム構成］
本実施形態でのネットワーク端末システムは、第一の実施形態における図１と同様に、テレビ受信機１、無線端末１２、無線ルーター１０、外部ネットワーク１１から構成される。テレビ受信機１、無線端末１５の各部の構成については、第一の実施形態と同じために説明を省略する。
【０１１０】
［ソフトウェア構成］
図１０は、テレビ受信機１のブラウザプログラム機能および文字入力プログラム機能の一例である。
図１０において、第二の実施形態に係るテレビ受信機１の構成のうちストレージ８とメモリ３７を示している。図１０は、ストレージ８にブラウザプログラム２１０１および文字入力プログラム２００３を格納しており、制御部４がブラウザプログラム２１０１および文字入力プログラム２００３をメモリ３７にブラウザエンジン２１０２および文字入力部２００４として展開した状態を示している。ブラウザプログラム２１０１および文字入力プログラム２００３は、製品の出荷時点でストレージ８に格納しておいてもよく、通信Ｉ／Ｆ１２またはデジタル放送波を介してを介してダウンロードしてもよい。
【０１１１】
文字入力部２００４は、入力手段６がユーザーからの操作を受け、表示部１１に表示されたソフトウェアキーボードまたは物理的なボタンにより文字列が入力されると、文字列情報を検索条件としてブラウザエンジン２１０２に渡す制御を行う。また、無線端末１５で文字入力を行う場合は、入力文字列の入力文字の文字数、行数等の入力フォームおよび有効文字種などの属性情報と、検索サイトからの検索候補リスト情報を無線端末１５に送信し、無線端末１５側でユーザーからの文字入力に対する有効性の判断を行い、有効な文字列データをテレビ受信機１が受け取る。また、ストレージ８には、基本辞書２００９および履歴辞書２０１０が保存されている。
【０１１２】
検索サイトから入手する検索候補リスト情報は、基本辞書２００９または履歴辞書２０１０から取得されるデータより優先して使用され、検索候補リストが無い場合に基本辞書２００９または履歴辞書２０１０のデータが使用される。
【０１１３】
ブラウザエンジン２１０２は、図１０のようにＨＴＭＬパーサー２１０３、データベース生成部２１０４、レンダリング部２１０５、画像処理部２１０６の各機能ブロックから構成される。
【０１１４】
ＨＴＭＬパーサー２１０３は、ネットワーク制御部、制御部５を介して取得したＨＴＭＬデータの論理的な構造を解析する。また、取得したＨＴＭＬデータを解釈し、テレビ受信機１で使用する内部データへ変換することができる。
【０１１５】
データベース生成部２１０４は、そのＨＴＭＬデータ構造に関するデータベースを生成する。
【０１１６】
レンダリング部２１０５は、データベースを元に、各タグで決められた表現形式の情報を含むレイアウト構造を生成し、このレイアウト構造を基に、大きさ、位置、画像を取り込んだデータの通りにブラウザ表示画面を生成する。
【０１１７】
画像処理部２１０６は、ＨＴＭＬデータに画像タグで指定された画像ファイルの配置及び画像ファイル名などの画像ファイル情報に基づいて取得した画像ファイルをビットマップ形式等の画像データに変換する。
【０１１８】
無線端末１５の構成のうちのストレージ２５とメモリ３２については、図２（ａ）と同様のため説明を省略する。
【０１１９】
本実施形態では、テレビ受信機１でＷｅｂコンテンツの検索サイトでキーワードにより検索する場合の検索キーワード入力時の文字入力について説明する。
【０１２０】
［動作シーケンス］
以下、図１１を用いて、文字入力プログラム２００１と無線端末１５の各ハードウェアの協働、および文字入力プログラム２００３およびブラウザプログラム２１０１とテレビ受信機１の各ハードウェアの協働により実現される動作シーケンスについて説明する。
【０１２１】
図１１は、ブラウザエンジン２１０２が、検索サイトの検索文字入力に入力される検索文字列を検索キーワードとしてＷｅｂで検索を行う場合の動作シーケンスの一例を示す図である。
【０１２２】
制御部４は、入力手段６によりブラウザ起動の指令を受けると、ブラウザエンジン２１０２を起動し、ブラウザエンジン２１０２は、あらかじめホームページとして設定された検索サイトのＵＲＬにアクセスを行う（Ｓ２００１）。
次に、ブラウザエンジン２１０２は、ＨＴＴＰに準拠したＷｅｂコンテンツ等のリソースを要求するリクエストメッセージを制御部６、通信Ｉ／Ｆ１２、外部ネットワーク１４からネットワーク上のあらかじめホームページとして設定された検索サイトのＵＲＬにより指定されるサーバーに送信される。
【０１２３】
ＵＲＬにより指定されるサーバーは、受け取ったリクエストメッセージに応じたレスポンスを作成し返信する。返信されたレスポンスメッセージは、外部ネットワーク１４を経由してブラウザエンジン２１０２に入力される。レスポンスメッセージには、ＨＴＭＬ文書が埋め込まれており、ブラウザエンジン２１０２のＨＴＭＬパーサー２１０３、データベース作成部２１０４、レンダリング部２１０５、画像処理部２１０６によりブラウザ表示画面３００を生成し、表示部１１に表示する（Ｓ２００１）。
次に、入力手段６がユーザーからの操作を受け、キーワードなどによる検索を行う場合の文字入力操作を行う場合について説明する。
【０１２４】
入力手段６により検索サイトの検索文字入力テキストボックスが選択されると（Ｓ２００２）、テレビ受信機１の制御部６は、文字入力部２００４に対してソフトウェアキーボードの起動を指令し、表示部１１に文字入力画面を表示させる（Ｓ２００３）。
【０１２５】
次に、無線端末１５の入力手段２０により、表示部１９に表示された「文字入力」ボタンがタップ操作されると（Ｓ２００４）、無線端末１５の制御部１７は、文字入力部２００２に対してソフトウェアキーボードの起動を指令し、表示部１９に文字入力画面を表示させる（Ｓ２００５）。
【０１２６】
次に、無線端末１５で文字入力領域に文字が入力されると、文字入力部２００２は入力された文字列を通信Ｉ／Ｆ１２を経由して、テレビ受信機１の制御部６に送信し、制御部６はブラウザエンジン２１０２に指令し、受け取った文字列をテレビ受信機１の表示部１１に表示された検索入力ボックスに表示させる（Ｓ２００７）。
【０１２７】
さらに、制御部６は、ブラウザエンジン２１０２に指令し、受け取った文字列を検索サイトに送信する。検索サイトのサーバーは、受け取った文字列に関連した検索候補リスト情報をブラウザエンジン２１０２に返信する。
【０１２８】
制御部６は、ブラウザエンジン２１０２が受け取った検索候補リスト情報を無線端末１５の通信Ｉ／Ｆ１６を経由して、制御部１７に送信する。制御部１７は、検索候補リスト情報が有る場合は（Ｓ２００８：ＹＥＳ）、無線端末１５の文字入力領域に検索候補リストを表示する（Ｓ２０１０）。もし、検索候補リスト情報が無い場合は（Ｓ２００８：ＮＯ）、基本辞書２００９および履歴辞書２０１０のデータを使用し文字入力領域に予測変換候補を表示する（Ｓ２００９）。
【０１２９】
次に、文字入力部２００２は、入力手段２０から検索候補リストまたは予測変換候補からの検索文字列の選択を受付け（Ｓ２０１１）、検索文字入力を確定する（Ｓ２０１２）。
【０１３０】
［画面表示例］
次に、入力手段６がユーザーからの操作を受け、テレビ受信機１にＷｅｂコンテンツを表示してＷｅｂで検索を行う場合ついて画面表示の例を用いて説明する。
図１２は、テレビ受信機１に表示されるＷｅｂコンテンツ画面の表示例である。
ブラウザが起動し、一例としてあらかじめホームページとして設定された検索サイトのＵＲＬにアクセスを行い、表示部１１にブラウザ表示画面３００を表示する。
【０１３１】
次に、入力手段６がユーザーからの操作を受け、キーワードなどによる検索を行う場合の文字入力操作を行う場合について説明する。
【０１３２】
図１２において、入力手段６により検索文字入力テキストボックス３０１を選択し、決定操作すると、制御部４は文字入力部２００４に対して、表示部１１に図６（ａ）に示すようなソフトウェアキーボードの文字入力画面２５０を表示するように指令する。
【０１３３】
図６（ａ）において、第一の実施形態と同様に、文字入力領域２０５には、入力手段６により数字キー２０６を使用して、ユーザー所望の文字列を作成することができる。
次に、無線端末１５から文字入力を行う場合について説明する。
【０１３４】
図７において、「文字入力」２１３がタップ操作されると、図１０の動作シーケンスのステップＳ２００４からＳ２００５により無線端末１５の表示部１９に図１３に示すような文字入力画面２１４が表示される。ここで、前述した図４（ａ）の変形例のように、無線端末１５のメニュー画面に表示された「文字入力」２１３のタップ操作を省略することにより、テレビ受信機１の文字入力画面２５０の起動に連動して無線端末１５の文字入力画面２１４を表示することもできる。この場合は、メニュー画面の設定メニューでどちらかが選択できるようにしても良い。
【０１３５】
図１３は、第二の実施例に係る無線端末１５に表示される文字入力画面の表示例である。
図１３において、文字入力領域２１５には、入力手段２０により数字キー２１６を使用して、検索文字列として「ｓｐｏｒｔｓ」と入力した場合の画面表示例である。
【０１３６】
検索文字列「ｓｐｏｒｔｓ」は、通信Ｉ／Ｆ１２を経由してテレビ受信機１の制御部６に送信され、制御部６はブラウザエンジン２１０２に指令し、受け取った文字列を検索サイトに送信する。検索サイトのサーバーは、受け取った文字列に関連した検索候補リスト情報をブラウザエンジン２１０２に返信する。
【０１３７】
制御部６は、ブラウザエンジン２１０２が受け取った検索候補リスト情報を無線端末１５の通信Ｉ／Ｆ１６を経由して、制御部１７に送信する。制御部１７は、検索候補リストを文字入力部２００２に渡し、文字入力画面２１４の検索候補リスト表示部２２３に表示する。
【０１３８】
本実施例では、検索候補リスト表示部２２３には「ｓｐｏｒｔｓｎａｖｉ」、「ｓｐｏｒｔｓ  ａｕｔｈｏｒｉｔｙ」、「ｓｐｏｒｔｓｍａｎ」の候補が表示されているものとする。入力手段６がユーザーからの操作を受け、この検索候補リストの中から「ｓｐｏｒｔｓｎａｖｉ」をタップ操作により選択すると、図１４に示す文字入力領域２１５に「ｓｐｏｒｔｓｎａｖｉ」が検索文字入力として確定される。
【０１３９】
図１４は、文字入力領域２２１５に入力された検索文字入力の確定した文字列の一例である。
【０１４０】
次に、図１４において、文字入力画面２１４の「送信」ボタン２２０がタップ操作されると、図４（ｂ）に示す動作シーケンスにより、無線端末１５の文字入力領域２１５に入力された文字列「ｓｐｏｒｔｓｎａｖｉ」を文字列として含む文字列データがテレビ受信機１に送信され、図１５に示す検索文字入力テキストボックス３０１に表示される。
【０１４１】
図１５は、入力された文字列が検索文字入力テキストボックス３０１に表示されたＷｅｂ画面の表示例である。
本実施形態では、テレビ受信機１側でソフトウェアキーボードなどの文字入力画面を起動してから、無線端末１５側で文字入力画面を起動する場合について述べたが、図１１において、入力手段６により検索文字入力テキストボックスを選択した後に、テレビ受信機１側の文字入力画面を起動しない状態で、図７の無線端末１５の「文字入力」２１３がタップ操作されることで、直接無線端末１５の文字入力画面を起動することもできる。
【０１４２】
このように、テレビ画面のＷｅｂコンテンツ等で検索文字を入力する場合などで、無線端末側で簡単に文字入力を行うことができる。
【０１４３】
また、本実施例では、検索候補リスト情報を検索サイトのサーバーから受信する、として説明を行ったが、テレビ受信機１が備える基本辞書２００９、履歴辞書２０１０もしくは無線端末１５が備える基本辞書２００７、履歴辞書２００８から検索候補を取得することも可能である。さらに、無線端末１５は通信Ｉ／Ｆ１６を介して外部ネットワーク１４にアクセス可能なことから、テレビ受信機１を介さずに検索候補リスト情報を直接検索サイトのサーバーから取得することも可能である。このような構成にすることで、テレビ受信機１と無線端末１５間での通信量を減少させる、もしくはテレビ受信機１が検索候補リストをサーバーから取得する時間を省略することができ、無線端末１５において検索候補を迅速に表示させることができる。
【実施例３】
【０１４４】
以下、本発明に係る第三の実施形態を、図１、図２（ａ）、図３（ｄ）（ｅ）、図４（ａ）（ｄ）、図６（ａ）、図７、図８（ａ）、図１０および図１６〜図１８を用いて説明する。
なお、本実施形態では、第一の実施形態と比較し、異なるところを強調して説明する。
【０１４５】
［システム構成］
本実施形態でのネットワーク端末システムは、第一の実施形態と同じために説明を省略する。
【０１４６】
［ソフトウェア構成］
本実施例でのソフトウェア構成は、第二の実施形態と同じために説明を省略する。
【０１４７】
［画面表示例］
入力手段６がユーザーからの操作を受け、テレビ受信機１にＷｅｂコンテンツを表示し、Ｗｅｂ画面でテキストボックスに文字入力を行う場合について画面表示の例を用いて説明する。
【０１４８】
図１６は、テレビ受信機１に表示されるＷｅｂコンテンツ表示画面のテキストボックスの文字入力例である。
入力手段６がユーザーからの操作を受けブラウザを起動すると、ブラウザエンジン２１０２はあらかじめホームページとして設定されたサイトのＵＲＬにアクセスを行い、テレビ受信機１の表示部１１にブラウザ表示画面３００を表示する。
【０１４９】
次に、入力手段６がユーザーからの操作を受け、Ｗｅｂコンテンツでコメントなどを入力する場合の文字入力操作を行う場合について説明する。
【０１５０】
図１６において、テキストボックス３０３は、コメントとして複数行のテキストが入力できるようになっている。入力手段６によりテキストボックス３０３が選択されると、制御部４は文字入力部２００４に対して、表示部１１に図６（ａ）に示すようなソフトウェアキーボードの文字入力画面２５０を表示するように指令する。
【０１５１】
図６（ａ）において、第一の実施形態と同様に、文字入力領域２０６には、入力手段６により数字キー２０７を使用して、ユーザー所望の文字列を作成することができる。
次に、無線端末１５から文字入力を行う場合について説明する。
【０１５２】
図７において、「文字入力」２１３がタップ操作されると、図４（ａ）に示す動作シーケンスのステップＳ１０００からＳ１００３により無線端末１５の表示部１９に図８（ａ）に示すような文字入力画面２１４が表示される。また同時に、制御部１７は図４（ｄ）に示す動作シーケンスのステップＳ１００６により表示文字列属性の取得要求をテレビ受信機１に対して行い、制御部４は、ブラウザエンジン２１０２が接続サイトから入手した設定可能な入力フォーム、文字種などの条件を、図３（ｄ）に示すような表示文字列属性情報として無線端末１５に対して返信する。
【０１５３】
図３（ｄ）に示す表示文字列属性は、入力フォーム１００が２行×１６文字、有効文字種１０２が漢字、英数字（全角／半角）であることを示している。制御部１７は、例えば文字数が１行当たり１６文字を超える文字列が入力された場合は、「送信」ボタン２２０をタップ操作した時点でエラーメッセージを表示して、制限文字数を超えていることをユーザーに対してアラームを出すことができる。
【０１５４】
また、もし表示文字列属性が図３（ｂ）に示すように入力フォーム１００が１行×２０文字、有効文字種１０２が漢字、英数字（全角／半角）である場合に、改行コードが入った複数行の文字列が入力された場合は、優先度により改行までの文字列を有効にしたり、改行文字を無効として全文字列を有効にすることもできる。優先度は、それぞれのケースに対して文字入力部２００４に予め記憶される。
【０１５５】
図１７は、テレビ受信機１に表示されるＷｅｂコンテンツ表示画面のテキストボックスのＩＤまたはパスワードを入力する場合の文字入力例である。
【０１５６】
入力手段６がユーザーからの操作を受け、Ｗｅｂコンテンツのあるページからセキュリティで保護されたページへ遷移する場合、ＩＤ入力テキストボックス３０５およびパスワード入力テキストボックス３０６が表示される。本実施例では、ＩＤまたはパスワードは入力できる文字種を制限するために、図３（ｅ）に示すように有効文字種１０２で英数字（半角）と指定する。入力タイプ１０３は、パスワードなどを示すもので、パスワードの場合は、入力された文字列をアスタリスク（＊）などの記号に置き換えて表示する。また、データ形式を拡張して特定の禁止文字を指定することにより、＜＞＠＆＄＊などの特殊文字の入力も禁止するようにできる。
次に、パスワード入力テキストボックス３０６へ文字入力を入力する場合について説明する。
【０１５７】
入力手段６によりパスワード入力テキストボックス３０６が選択されると、制御部４は文字入力部２００４に対して、表示部１１に図６（ａ）に示すソフトウェアキーボードの文字入力画面２５０を表示するように指令する。
【０１５８】
次に、図７において、「文字入力」２１３がタップ操作されると、図４（ａ）に示す動作シーケンスのステップＳ１０００からＳ１００３により無線端末１５の表示部１９に図１８に示すような文字入力画面２１４が表示される。また同時に、制御部１７は図４（ｄ）に示す動作シーケンスのステップＳ１００６により表示文字列属性の取得要求をテレビ受信機１に対して行い、制御部４は、ブラウザエンジン２１０２が接続サイトから入手した設定可能な入力フォーム、文字種などの条件を、図３（ｅ）に示すような表示文字列属性情報として無線端末１５に対して返信する。
【０１５９】
入力タイプ１０３は、パスワード形式を示しているため、数字ボタン２１６により文字が入力されると、実際に入力される文字がアスタリスク（＊）に置き換えられて表示される。
【０１６０】
図１８は、無線端末１５でパスワードを入力する場合の文字入力画面の表示例である。
図１８において、表示文字列属性の入力タイプ１０３がパスワード形式の場合は、第一の実施形態の図８（ｂ）に示すような予測変換候補表示部２１９はセキュリティ保持の目的により表示させないようにできる。また、入力された文字列もセキュリティ保持の目的から履歴辞書２００８、２０１０に記憶させないようにできる。
【０１６１】
さらに、本実施例ではアスタリスク（＊）に置き換える例について説明したが、特定の文字、記号または図形に置き換えても良い。
ＩＤ入力テキストボックス３０５の文字入力については、図１６の説明と同じであるため省略する。
このように、テレビ画面のＷｅｂコンテンツ等でＩＤやパスワードを入力する場合などで、無線端末側でセキュリティを確保しながら文字入力をすることができる。
【実施例４】
【０１６２】
以下、本発明に係る第四の実施形態を、図１、図２（ａ）、図３（ｃ）、図４（ｂ）および図１９〜図２６を用いて説明する。
なお、本実施形態では、第一の実施形態と比較し、異なるところを強調して説明する。
【０１６３】
［システム構成］
本実施形態でのネットワーク端末システムは、第一の実施形態と同じために説明を省略する。
【０１６４】
［ソフトウェア構成］
図１９は、テレビ受信機１の録画番組一覧作成プログラム機能および文字入力プログラム機能の一例である。
図１９において、テレビ受信機１の構成のうちストレージ８とメモリ３７を示している。図１９は、ストレージ８に録画番組一覧作成プログラム２２０１および文字入力プログラム２００３を格納しており、制御部４が録画番組一覧作成プログラム２２０１および文字入力プログラム２００３をメモリ３７に録画番組一覧作成部２２０２および文字入力部２００４として展開した状態を示している。また、ストレージ８には、基本辞書２００９、履歴辞書２０１０、コンテンツ２２０４および録画番組一覧データ２２０３が備えられている。
【０１６５】
コンテンツ２２０４には番組予約等で録画された録画番組が格納されており、録画番組一覧データ２２０３には録画番組一覧作成部２２０２により作成された録画番組一覧情報が格納されている。録画番組一覧情報とは、録画された番組の番組をタイトル順や録画日付順等に並べて一覧表示するための情報であり、各録画番組は番組タイトル、録画チャンネル、録画開始・終了時刻、番組詳細等の情報も含まれる。
【０１６６】
録画番組一覧データ２２０２は、一つのコンテンツ２２０４の一部または独立したデータとして格納されても良い。録画番組一覧作成プログラム２２０１および文字入力プログラム２００３は、製品の出荷時点でストレージ８に格納しておいてもよく、通信Ｉ／Ｆ１２またはデジタル放送波を介してダウンロードしてもよい。
以下、テレビ受信機１の録画番組一覧作成部２２０２による機能を説明する。
【０１６７】
［画面表示例］
番組予約等によりテレビ受信機１のストレージ８に保存されたコンテンツ２２０４である録画番組を再生するための録画番組一覧の番組タイトルを変更する場合の例について説明する。
【０１６８】
制御部４は、入力手段６により録画番組一覧起動の指令を受けると、ストレージ８の録画番組一覧データ２２０３を参照して、録画番組一覧情報を録画番組一覧作成部２２０２に渡す。録画番組一覧作成部２２０２は、録画番組一覧情報をもとに表示部１９に図２０に示す「録画番組一覧」画面４００を表示する。
【０１６９】
図２０は、テレビ受信機１の「録画番組一覧」画面の表示例である。
図２０において、「録画番組一覧」画面４００は階層構造になっており、第１階層はＨＤＤ、カセットまたはＳＤカードからなる保存メディア選択階層、第２階層は録画番組、写真、ビデオまたはダウンロードからなる保存種類選択階層、第３階層はすべて、未視聴、番組名、ジャンル等からなる分類選択階層、第４階層は番組名（タイトル）の選択階層から構成される。
【０１７０】
番組タイトルが表示されているセルが選択されると、その録画番組名の録画番組を識別するための録画番組識別情報を基に、当該録画番組を再生することができる。
【０１７１】
図２０は、入力手段６により保存メディア選択階層「ＨＤＤ」４０１、保存種類選択階層「録画番組」４０２、分類階層「すべて」４０３の手順で番組タイトルを変更したい録画番組タイトル４０４を選択されている状態を示す。
図２０において、録画番組タイトル４０４は、「映」記号４０５に続いて番組のタイトルが表示されており、番組タイトルは「Ｍｒｓ．アドリア  モン…」と表示されている。番組タイトルは、番組配列情報ＳＩの番組タイトル情報を用いて表示されており、「映」記号４０５などの囲み文字は社団法人電波産業会（ＡＲＩＢ）の標準規格で定義されている。
【０１７２】
図２１は、ＡＲＩＢ標準規格で定義されているＡＲＩＢ外字の一例である。
ＡＲＩＢ外字は、社団法人電波産業会（ＡＲＩＢ）により、ＦＭ文字多重放送、字幕放送、番組表などで使用する文字として、ＪＩＳ  Ｘ  ０２０８以外に必要とされる文字を集めた外字文字集合である。ＡＲＩＢ  ＳＴＤ−Ｂ２４「デジタル放送におけるデータ放送符号化方式と伝送方式」およびＡＲＩＢ  ＳＴＤ−Ｂ３「ＦＭ多重放送の運用上の標準規格」で規格化されている。
【０１７３】
本実施例では、囲み文字などのＡＲＩＢ外字がテレビ受信機１および無線端末１５側にそれぞれ実装されている場合について説明する。無線端末１５に実装されていない場合の実施例については、後述する実施例５で述べる。
【０１７４】
図２２は、番組配列情報ＳＩに含まれるオリジナルの番組タイトルと実際に表示される番組タイトルの一例である。
図２２−（ａ）は、番組配列情報ＳＩに含まれるオリジナルの番組タイトル例を示す。
図２２−（ｂ）は、実際に表示される番組タイトル例を示す。オリジナルの番組タイトルが「「映」Ｍｒｓ．アドリア  モンテローザより愛をこめて」であるのに対して、実際には表示文字数の制限により「「映」Ｍｒｓ．アドリア  モン…」と省略して表示される。省略された文字列の最後の文字は、以降に文字があることを示すために「…」に置き換えられる。
【０１７５】
ここで、番組タイトルを「「映」Ｍｒｓ．アドリア  モン…」から図２２−（ｃ）に示すように「「映」モンテローザより愛をこめて」に変更する場合の例について説明する。
【０１７６】
図２３は、タイトル編集のメニュー選択画面の表示例である。
図２０で入力手段６により録画番組タイトル４０４が選択され、図２３でメニュー（各種編集）４０５が選択されると、制御部４は文字入力部２００４に対して表示部１１に図２４に示すソフトウェアキーボードの文字入力画面２５０を表示するように指令する。また、制御部４は、選択された録画番組の番組タイトルを、録画番組一覧データ２２０３に格納された番組配列情報ＳＩから取得し、文字入力部２００４に渡す。文字入力部２００４は、制御部４から取得した番組タイトルを文字入力領域２０６に表示させる。
【０１７７】
図２４は、第四の実施例に係るテレビ受信機１の文字入力画面の表示例である。
図２４において、文字入力領域２０６には、図２２−（ａ）に示すオリジナルの番組タイトルが表示される。また、「録画番組一覧」画面４００の表示文字数の制限に応じて実際に表示される文字列の有効文字表示４０７が破線枠で表示される。有効文字表示４０７は、破線枠以外に背景色や文字色を変えて他の文字と区別できるようにしても良い。
次に、無線端末１５から文字入力を行う場合について説明する。
【０１７８】
図７において、入力手段２０により「文字入力」２１３がタップ操作されると、図１１の動作シーケンスのステップＳ２００４からＳ２００５により無線端末１５の表示部に図２５に示すような文字入力画面２１４が表示される。ここで、前述した図４（ａ）の変形例のように、無線端末１５のメニュー画面に表示された「文字入力」２１３のタップ操作を省略することにより、テレビ受信機１の文字入力画面２５０の起動に連動して無線端末１５の文字入力画面２１４を表示することもできる。この場合は、メニュー画面の設定メニューでどちらかが選択できるようにしても良い。
【０１７９】
図２５は、第四の実施例に係る無線端末１５に表示される文字入力画面の表示例である。
図２５において、文字入力領域２１５には、図２４の文字入力領域２０６に表示された文字列と同じものが表示される。テレビ受信機１からは、図３（ｃ）に示す文字列情報および表示文字列の属性情報が送信され、入力タイプ１０３が「短縮表示形式」を示しているため、文字列属性情報に含まれる表示文字数の制限に応じて実際に表示される文字列は、破線枠で示す有効文字表示４０７として表示される。有効文字表示４０７は、破線枠以外に背景色や文字色を変えて他の文字と区別できるようにしても良い。
【０１８０】
図２５において、文字入力画面２１４の「送信」ボタン２２０がタップ操作されると、図４（ｂ）に示す動作シーケンスにより、無線端末１５の文字入力領域２１５に入力された番組タイトルの文字列がテレビ受信機１に送信される。
【０１８１】
図２６は、「録画番組一覧」画面４００に番組タイトルが変更された録画番組タイトル４０７の表示例である。
【０１８２】
このように、テレビ画面の録画番組一覧の録画番組タイトルなどについて、無線端末側で番組タイトルの不要な文字を削除したり、好みのタイトルに変更したりすることができる。
【実施例５】
【０１８３】
以下、本発明に係る第五の実施形態を、図１、図４（ａ）、図２５、図２６および図２７を用いて説明する。
本実施形態では、第四の実施形態と比較し、異なるところを強調して説明する。
【０１８４】
システム構成、ソフトウェア構成、画面表示例については、第四の実施形態と同様のため説明は省略する。
【０１８５】
第四の実施形態では、囲み文字などのＡＲＩＢ外字は、テレビ受信機１および無線端末１５側にそれぞれ実装されている場合について説明したが、ＡＲＩＢ外字は、前述したように社団法人電波産業会（ＡＲＩＢ）の標準規格で定義されているもので、字幕放送、番組表などに対応した無線端末１５の場合はＡＲＩＢ外字フォントが標準的に装備されるが、非対応の場合は装備されない場合がある。本実施例では、無線端末１５にＡＲＩＢ外字フォントが装備されていない場合について説明する。
【０１８６】
第四の実施形態では、無線端末１５がＡＲＩＢ外字フォントに対応していない場合は、無線端末１５側ではＡＲＩＢ外字は表示できないために、図２５に示す「映」記号４０５を無視したり、スペース等に置き換えたりする必要がある。このため、無線端末側で文字列を編集した後にテレビ受信機１に転送すると、図２６の「映」記号４０５は削除されたりスペース等に置き換えられてしまう問題が生じる。
【０１８７】
そこで、本実施例は、第一の実施形態で述べた図４（ａ）に示す動作シーケンスの変形例として、Ｓ１００２のステップにおいて文字列取得要求のタイミングでＡＲＩＢ外字フォント取得要求を行い、ＡＲＩＢ外字フォントを取得するようにしたものである。
【０１８８】
［動作シーケンス］
図２７は、図４（ａ）の変形例として無線端末１５でソフトウェアキーボードを起動する場合の動作シーケンスの一例である。
図２７において、無線端末１５の入力手段により表示部１９に表示された「文字入力」ボタンがタップ操作されると、テレビ受信機１の制御部４に対し、文字入力部２００４は無線端末１５の通信Ｉ／Ｆ１６を経由してソフトウェアキーボードが起動しているかどうかの確認要求を送信する（Ｓ４０００）。
【０１８９】
テレビ受信機１の文字入力部２００２は、通信Ｉ／Ｆ１２を経由して起動状態および文字入力モード（この例では番組タイトル編集）を無線端末１５の制御部１７に通知する（Ｓ４００１）。
【０１９０】
無線端末１５の制御部１７は、テレビ受信機１の制御部４からの通知を受け、テレビ受信機１のソフトウェアキーボードが起動状態であるので、制御部１７は文字入力部２００２に対してソフトウェアキーボードの起動を指示し文字入力画面を表示させる。
【０１９１】
次に、無線端末１５の制御部１７は、文字入力モードが番組タイトル編集であるためＡＲＩＢ外字フォントが必要であることを認識し、テレビ受信機１に対して無線端末１５の通信Ｉ／Ｆ１６を経由して文字列データおよびＡＲＩＢ外字フォントの取得を要求する（Ｓ４００２）。制御部４は、表示部１１に表示されたソフトウェアキーボードに既に文字入力されている文字列データ、基本辞書２００９、履歴辞書２０１０およびＡＲＩＢ外字フォントのデータを通信Ｉ／Ｆ１２を経由して無線端末１５の制御部１７に送信する（Ｓ４００３）。
【０１９２】
制御部１７は、ＡＲＩＢ外字フォントデータを一度取得すると、二回目以降はステップＳ４００２においてＡＲＩＢ外字フォント取得を要求しないことにより取得しないようにすることもできる。
【０１９３】
このように、ＡＲＩＢ外字などの特殊外字に対応していない無線端末を使用しても、番組タイトルなどのＡＲＩＢ外字を含む文字列を入力したり編集したりすることができる。
【実施例６】
【０１９４】
以下、本発明に係る第六の実施形態を、図４（ａ）、図４（ｂ）、図２４、図２６および図２８を用いて説明する。
本実施形態では、第五の実施形態と比較し、異なるところを強調して説明する。
【０１９５】
システム構成、ソフトウェア構成、画面表示例については、第五の実施形態と同様のため説明は省略する。
【０１９６】
第五の実施形態では、無線端末１５が囲み文字などのＡＲＩＢ外字を装備していない場合に、テレビ受信機１側からＡＲＩＢ外字フォントを取得する例について説明したが、本実施形態では、無線端末側でＡＲＩＢ外字フォントを取得してフォント情報を拡張できない場合について説明する。
【０１９７】
本実施形態では、文字列にＡＲＩＢ外字フォントを含んでいる場合は、外字フォントを『映』などのように、通常タイトルで使用しない『  』等の記号を付けて標準文字に変換して無線端末１５に送信し、無線端末１５で編集または新規に追加された『  』等の記号が付いた標準文字をテレビ受信機側でＡＲＩＢ外字フォントに再度変換するようにしたものである。
【０１９８】
［動作シーケンス］
図４（ａ）において、第一の実施形態と同様に無線端末１５の入力手段により表示部１９に表示された「文字入力」ボタンがタップ操作されると、テレビ受信機１の制御部４に対し、文字入力部２００４は無線端末１５の通信Ｉ／Ｆ１６を経由してソフトウェアキーボードが起動しているかどうかの確認要求を送信する（Ｓ１０００）。
【０１９９】
テレビ受信機１の文字入力部２００２は、通信Ｉ／Ｆ１２を経由して起動状態を無線端末１５の制御部１７に通知する（Ｓ１００１）。
【０２００】
無線端末１５の制御部１７は、テレビ受信機１の制御部４からの通知を受け、テレビ受信機１のソフトウェアキーボードが起動状態であるので、制御部１７は文字入力部２００２に対してソフトウェアキーボードの起動を指示し文字入力画面を表示させる。
【０２０１】
次に、無線端末１５の制御部１７は、テレビ受信機１に対して無線端末１５の通信Ｉ／Ｆ１６を経由して文字列データの取得を要求する（Ｓ１００２）。図２４のように、表示部１１に表示されたソフトウェアキーボードに既に文字入力されているとすると、制御部４は、文字列データに含まれる「映」記号４０５の文字列データＡＲＩＢ外字フォントを『映』の標準フォントに変換し、変換されたフォントを含む文字列データと、基本辞書２００９、履歴辞書２０１０とを通信Ｉ／Ｆ１２を経由して無線端末１５の制御部１７に送信する（Ｓ１００３）。
【０２０２】
制御部１７は、文字入力部２００２に対して、表示部１９に表示されたソフトウェアキーボードの文字入力画面に受け取った文字列を表示するように指示する。
【０２０３】
図２８は、図２５の変形例として無線端末１５に表示される文字入力画面の表示例である。
図２８において、図２５に示す「映」記号４０５の文字列データＡＲＩＢ外字フォントは、『映』の標準フォント４０８として表示されている。
【０２０４】
次に、図４（ｂ）において、第一の実施形態と同様に入力手段２０が受け付けたユーザー操作に基づき、無線端末１５の文字入力手段２００２は、ソフトウェアキーボードの文字入力画面に基本辞書２００７および履歴辞書２００８を参照して文字を入力する。次に、無線端末１５に入力された文字を確定するために表示部１９に表示された「送信」ボタンがタップ操作されると、無線端末１５のソフトウェアキーボードの文字入力画面に入力された文字列データと文字入力時に参照された基本辞書２００７および履歴辞書２００８のデータは、制御部１４から通信Ｉ／Ｆ１６を経由してテレビ受信機１の制御部４に送信される（Ｓ１００４）。
【０２０５】
制御部１７は、表示部１９に表示されたソフトウェアキーボードの文字入力画面を閉じる。また、テレビ受信機１の制御部４は、無線端末１５からの文字列データ、基本辞書２００７および履歴辞書２００８のデータを受け取り、無線端末１５から受け取った文字列に含まれる『  』の記号が付いた標準文字をＡＲＩＢ外字フォントに変換し、ソフトウェアキーボードの文字入力画面を閉じて遷移前の画面に戻り、図２６のように文字入力が確定される。
【０２０６】
四角や丸の枠の中に文字が入っている記号については、記号の内部の文字に『  』を付すことで無線端末１５で表示が可能である。同様に、四角の枠の中に鍵の柄が記載されているマークについては『鍵』、斜めに「ほか」と記載されているマークについては『ほか』とすることで無線端末１５での表示が可能となる。
【０２０７】
さらに、「10.」や「11.」、「12.」というマークについては、『11.』などのように表示することも可能であるが、数字とピリオドをそのまま半角文字などで表示することも可能である。このように表示することで、テレビ受信機１の表示との差異を少なくすることができる。
【０２０８】
本実施例では、『  』に囲まれたフォントを外字フォントとして扱ったが、通常番組タイトルに使用されないまたは使用頻度の少ない他の記号等を使用するようにしてもよい。
【０２０９】
このように、ＡＲＩＢ外字などの特殊外字に対応していなく、外字フォントを取得してフォント情報を拡張できない無線端末を使用しても、番組タイトル等のＡＲＩＢ外字を含む文字列を入力したり編集したりすることができる。
【０２１０】
なお、無線端末１５において『  』に囲まれた文字列、例えば  例  という文字が入力された場合であって、テレビ受信機１に『例』に対応する外字フォントが無い場合、『例』をそのまま表示する、『例』の二重鍵括弧を「例」のように鍵括弧に変換して表示する、若しくは出力できないことを示すエラー文字を『例』の代替として表示する、などの方法で対応できる。
【０２１１】
また、本実施例では、テレビ受信機１側で外字フォントを変換して無線端末１５に出力する例を説明したが、テレビ受信機１ではＳ１００３において実施例１と同様にそのまま外字フォントを送信し、無線端末１５側で文字入力部２００２が外字フォントコードと標準フォントコードの変換テーブルを持つことにより、本実施例で説明したように変換して出力するようにしてもよい。このような場合でも、ＡＲＩＢ外字などの特殊外字に対応していなく、外字フォントを取得してフォント情報を拡張できない無線端末を使用しても、番組タイトル等のＡＲＩＢ外字を含む文字列を入力したり編集したりすることができる。
【実施例７】
【０２１２】
以下、本発明に係る第七の実施形態を、図１、図２、図１２〜図１５および図２９〜図３１を用いて説明する。
本実施形態では、第二の実施形態と比較し、異なるところを強調して説明する。
【０２１３】
システム構成、ソフトウェア構成については、第二の実施形態と同様のため説明は省略する。
【０２１４】
第二の実施形態では、テレビ受信機１側でソフトウェアキーボードの文字入力画面を起動してから、無線端末１５側で文字入力画面を起動する場合について述べたが、本実施例では、無線端末１５側から文字入力画面を起動する場合の実施例について説明する。
【０２１５】
［動作シーケンス］
図２９は、図１１の変形例として無線端末１５側でソフトウェアキーボードを起動する場合の動作シーケンスの一例である。第二の実施例の動作シーケンスを示す図１１に対して、ステップＳ２００１からＳ２００３がステップＳ３００１からＳ３００３になっている。また、第二の実施形態に対して、制御部１４は、テレビ受信機１を操作するための操作コマンド等の操作情報を生成する機能を有する。
【０２１６】
無線端末１５の制御部１７は、入力手段２０により「リモコン」機能の起動指令を受けると、リモコン操作画面を表示部１９に表示する（Ｓ３００１）。
【０２１７】
次に、入力手段２０により「Ｗｅｂブラウザ」機能の起動操作を行うと、制御部１７は、通信Ｉ／Ｆ１６、通信Ｉ／Ｆ１２を経由して、テレビ受信機１の制御部４に対してブラウザ起動の指令を送信する。制御部４は、ブラウザ起動の指令を受けると、ブラウザエンジン２１０２を起動し、ブラウザエンジン２１０２は、実施形態２と同様にブラウザ表示画面を生成し、表示部１１にＷｅｂコンテンツ画面を表示する（Ｓ３００２）。
【０２１８】
次に、無線端末１５の入力手段２０により検索サイトの検索文字入力テキストボックスが選択される（Ｓ３００３）。
以下のＳ２００４からＳ２０１２までの動作については、図１１に示す動作フローの説明と同様のため省略する。
【０２１９】
［画面表示例］
次に、入力手段２０がユーザーからの操作を受け、テレビ受信機１にＷｅｂコンテンツを表示して検索文字入力テキストボックスに文字入力を行う場合について、画面表示の例を用いて説明する。
【０２２０】
図３０は、無線端末１５のメニュー画面２１０の表示例である。第二の実施形態の図７と異なるところは、図７の「株式」ボタンの代わりに「リモコン」ボタン５００が追加になっていることである。
【０２２１】
図３１は、無線端末１５の「リモコン」操作画面５０１の表示例である。
図３０において、「リモコン」ボタン５００がタップ操作されると、図３１に示すような「リモコン操作」画面５０１が表示される。図３１において、無線端末１５の「Ｗｅｂブラウザ」ボタン５０２がタップ操作されると、ブラウザが起動し、一例としてあらかじめホームページとして設定された検索サイトのＵＲＬにアクセスをおこない、テレビ受信機１の表示部１１に図１２に示すようなブラウザ画面３００を表示する。
【０２２２】
次に、図３１に示すリモコン操作画面５０１の「カーソル」操作ボタン５０３により、図１２に示す検索文字入力テキストボックス３０１が選択され、図３１に示す「文字入力」ボタン２１３がタップ操作されると、図１３に示すような文字入力画面２１４が表示される。
【０２２３】
以下、第二の実施形態と同様の手順で、図１４、図１５に示すように検索文字が入力される。
このように、テレビ画面のＷｅｂコンテンツ等で検索文字を入力する場合などで、無線端末側で文字入力することができる。
【０２２４】
なお、本発明は上記した実施例に限定されるものではなく、様々な変形例が含まれる。例えば、上記した実施例は本発明を分かりやすく説明するためにシステム全体を詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【０２２５】
また、上記の各構成、機能、処理部、処理手段等は、それらの一部又は全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Ｓｏｌｉｄ  Ｓｔａｔｅ  Ｄｒｉｖｅ）等の記録装置、または、ＩＣカード、ＳＤカード、ＤＶＤ等の記録媒体に置くことができる。
【０２２６】
また、各処理例で説明したプログラムは、それぞれ独立したプログラムでもよく、複数のプログラムが一つのアプリケーションプログラムを構成していてもよい。
【０２２７】
また、制御線や情報線は説明上必要と考えられるものを示しており、製品上必ずしも全ての制御線や情報線を示しているとは限らない。実際には殆ど全ての構成が相互に接続されていると考えてもよい。
【０２２８】
また、上記実施例では、表示部１１を備えたＴＶ１、ＴＶ２等を用いて実施例の説明を行ったが、表示部を外部に備えたＳＴＢやレコーダー等によっても同様にして本発明を実施することができる。
【符号の説明】
【０２２９】
１  テレビ受信機
２  チューナ・復調部
３  信号分離部
４  制御部
５  選局制御部
６  入力手段
８  ストレージ
１０  重畳部
１１  表示部
１２  通信Ｉ／Ｆ
１３  無線ルーター
１４  外部ネットワーク
１５  無線端末
１６  通信Ｉ／Ｆ
１７  制御部
１９  表示部
２０  入力手段
２１  信号分離部
２２  チューナ・復調部
２４  テレビ受信機
２５  ストレージ
３２  メモリ
３３  加速度センサ部
３４  地磁気センサ部
３５  ＧＰＳ受信部
３６  ジャイロセンサ部
３７  メモリ
３９  音声復号部
４０  映像復号部
４１スピーカ
４２  音声出力部
４３  映像出力部
４４  デジタルＩ／Ｆ
【図１（ａ）】
2013174987.tif 000003
【図１（ｂ）】
2013174987.tif 000004
【図１（ｃ）】
2013174987.tif 000005
【図２（ａ）】
2013174987.tif 000006
【図２（ｂ）】
2013174987.tif 000007
【図３（ａ）】
2013174987.tif 000008
【図３（ｂ）】
2013174987.tif 000009
【図３（ｃ）】
2013174987.tif 000010
【図３（ｄ）】
2013174987.tif 000011
【図３（ｅ）】
2013174987.tif 000012
【図４（ａ）】
2013174987.tif 000013
【図４（ｂ）】
2013174987.tif 000014
【図４（ｃ）】
2013174987.tif 000015
【図４（ｄ）】
2013174987.tif 000016
【図５（ａ）】
2013174987.tif 000017
【図５（ｂ）】
2013174987.tif 000018
【図６（ａ）】
2013174987.tif 000019
【図６（ｂ）】
2013174987.tif 000020
【図７】
2013174987.tif 000021
【図８（ａ）】
2013174987.tif 000022
【図８（ｂ）】
2013174987.tif 000023
【図９】
2013174987.tif 000024
【図１０】
2013174987.tif 000025
【図１１】
2013174987.tif 000026
【図１２】
2013174987.tif 000027
【図１３】
2013174987.tif 000028
【図１４】
2013174987.tif 000029
【図１５】
2013174987.tif 000030
【図１６】
2013174987.tif 000031
【図１７】
2013174987.tif 000032
【図１８】
2013174987.tif 000033
【図１９】
2013174987.tif 000034
【図２０】
2013174987.tif 000035
【図２１】
2013174987.tif 000036
【図２２】
2013174987.tif 000037
【図２３】
2013174987.tif 000038
【図２４】
2013174987.tif 000039
【図２５】
2013174987.tif 000040
【図２６】
2013174987.tif 000041
【図２７】
2013174987.tif 000042
【図２８】
2013174987.tif 000043
【図２９】
2013174987.tif 000044
【図３０】
2013174987.tif 000045
【図３１】
2013174987.tif 000046